(57)【要約】【課題】  無断複製を防止するために地紋模様等が埋め込まれている原稿に対して、複製許可がされている場合は当該原稿のオリジナルの電子データを用いて画像品位の高い複製原稿を印刷出力することを許可する一方、当該印刷出力されたものに対しては無断複製を抑止することができる画像処理システム及び画像処理方法を提供する。【解決手段】  複製禁止用の地紋画像が形成された原稿に対応するオリジナル原稿の電子データを保持する原稿保持サーバ１０２にネットワーク網１０４を介して接続されたＭＦＰシステム１０１において、地紋画像が形成された原稿をスキャンし、当該原稿に付加された特定情報を抽出する。そして、特定情報に基づいてサーバに保持された電子データを検索して転送を要求して、当該電子データを受信し、複製を抑止するための地紋画像を形成する。そして、地紋画像が形成された電子データを印刷する。【選択図】  図８
2006166139.tif 000002
【特許請求の範囲】
【請求項１】
複製抑止情報が形成された原稿を読み取る原稿読取手段と、
前記原稿読取手段によって読み取られた前記原稿に付加された所定の特定情報を抽出する抽出手段と、
前記特定情報に基づいて所定の保持手段に保持された前記原稿に対応するオリジナル原稿の電子データであって前記複写抑止情報が付加されていない電子データを検索する検索手段と、
前記検索手段により検索された前記電子データの転送を要求する要求手段と、
前記要求手段による要求に応じて前記保持手段から前記電子データを取得する取得手段と、
前記取得手段により取得した前記電子データに複製を抑止するための複製抑止情報を付加する情報付加手段と、
前記情報付加手段により前記複製抑止情報が付加された前記電子データを印刷する印刷手段と
を備えることを特徴とする画像処理システム。
【請求項２】
前記抽出手段が、バーコード、英数字、又は電子透かしのいずれかを用いて前記原稿に付加された前記特定情報を抽出することを特徴とする請求項１に記載された画像処理システム。
【請求項３】
前記情報付加手段は、前記印刷手段によって前記複製抑止情報が付加された電子データが印刷された原稿を前記原稿読取手段で読み取って印刷した場合に、当該印刷結果に複製が抑制された原稿であることを視覚的に表示する複製抑止情報を、前記取得手段により取得された前記電子データに付加することを特徴とする請求項１又は２に記載の画像処理システム。
【請求項４】
前記保持手段に保持された前記電子データの前記取得手段による取得を許可するか否かを設定する設定手段をさらに備え、
前記取得手段は、前記設定手段によって前記保持手段に保持された前記電子データの取得の許可が設定されていることを条件として、前記電子データを取得する
ことを特徴とする請求項１から３までのいずれか１項に記載の画像処理システム。
【請求項５】
前記電子データの転送を要求するユーザの識別情報を入力する入力手段と、
前記入力手段によって入力された識別情報が前記保持手段に保持された前記電子データの転送が許可されたユーザの識別情報であるか否かを判定する判定手段とをさらに備え、
前記取得手段は、前記判定手段によって入力された識別情報が前記電子データの転送に関して権限を有するユーザの識別情報であると判定されたことを条件として、前記保持手段から前記電子データを取得する
ことを特徴とする請求項４に記載の画像処理システム。
【請求項６】
前記設定手段は、前記ユーザによる前記電子データの送信要求に対する課金処理を行うことにより、前記電子データの取得の許可を設定することを特徴とする請求項４又は５に記載の画像処理システム。
【請求項７】
前記保持手段が、前記画像処理システム内のネットワークを介して接続された他装置に具備されていることを特徴とする請求項１から５までのいずれか１項に記載の画像処理システム。
【請求項８】
前記抽出手段によって抽出された前記所定の特定情報には、前記保持手段に保持された前記電子データを検索するためのネットワークアドレス情報と、前記保管手段内で前記電子データを検索するためのデータ情報とを含むことを特徴とする請求項７に記載の画像処理システム。
【請求項９】
前記設定手段が、前記ユーザから前記入力手段によって入力された前記識別情報に基づいて、該ユーザによる前記電子データの転送要求に対する課金処理を行うことにより、前記電子データの取得の許可を設定することを特徴とする請求項５に記載の画像処理システム。
【請求項１０】
前記印刷手段は、前記設定手段によって課金処理が行われた場合であって、前記電子データの印刷に対して課金対象範囲内の場合は、前記印刷手段によって前記電子データの印刷を行い、課金対象範囲外の場合は、前記原稿読取手段によって読み取られた複製抑止情報が形成された前記原稿の画像データを印刷することを特徴とする請求項９に記載の画像処理システム。
【請求項１１】
前記情報付加手段が、
潜像部と背景部とを含む地紋画像を生成する地紋生成手段と、
前記電子データの特徴色を解析する解析手段と、
前記解析手段により解析された色情報に基づいて前記地紋画像の色を決定する地紋色決定手段と、
前記地紋色決定手段により色が決定した前記地紋画像と前記電子データとを合成する合成手段と
を備えることを特徴とする請求項１から１０までのいずれか１項に記載の画像処理システム。
【請求項１２】
前記印刷手段は、前記設定手段によって前記保持手段に保持された前記電子データの取得の許可が設定されていない場合、前記原稿読取手段によって読み取られた複製抑止情報が形成された前記原稿の画像データを印刷することを特徴とする請求項４に記載の画像処理システム。
【請求項１３】
複製抑止情報が形成された原稿を読み取る原稿読取工程と、
前記原稿読取工程によって読み取られた前記原稿に付加された所定の特定情報を抽出する抽出工程と、
前記特定情報に基づいて、複製抑止情報が形成された前記原稿に対応するオリジナル原稿の電子データであって前記複写抑止情報が付加されていない電子データを保持する保持手段に保持された前記電子データを検索する検索工程と、
前記検索工程により検索された前記電子データの転送を要求する要求工程と、
前記保持手段から前記電子データを取得する取得工程と、
前記取得工程により取得された前記電子データを受信して該電子データに複製を抑止するための複製抑止情報を付加する情報付加工程と、
前記情報付加工程により前記複製禁止情報が付加された前記電子データを印刷する印刷工程と
を有することを特徴とする画像処理方法。
【請求項１４】
コンピュータに、
複製抑止情報が形成された原稿を読み取る原稿読取手順と、
前記原稿読取手順によって読み取られた前記原稿に付加された所定の特定情報を抽出する抽出手順と、
前記特定情報に基づいて、複製抑止情報が形成された前記原稿に対応するオリジナル原稿の電子データであって前記複写抑止情報が付加されていない電子データを保持する保持手段に保持された前記電子データを検索する検索手順と、
前記検索手順により検索された前記電子データの転送を要求する要求手順と、
前記保持手段から前記電子データを取得する取得手順と、
前記取得手順により取得された前記電子データを受信して該電子データに複製を禁止するための複製抑止情報を付加する情報付加手順と、
前記情報付加手順により前記複製抑止情報が付加された前記電子データを印刷する印刷手順と
を実行させるためのプログラム。
【請求項１５】
請求項１４に記載のプログラムを格納したことを特徴とするコンピュータ読み取り可能な記憶媒体。
【発明の詳細な説明】
【技術分野】
【０００１】
本発明は、重要な文書等の不正な複製を防止する等の目的で原稿画像の背景に複写抑止情報が付加された原稿画像のオリジナル原稿を取得可能とする画像処理システム及び画像処理方法に関するものである。
【背景技術】
【０００２】
近年、オフィス等におけるネットワークの普及に伴い、デジタル複写機やプリンタ等の画像形成装置においても、ネットワーク接続機能を備えたものが広く利用されてきている。また、これらの画像形成装置を用いて、ネットワーク経由でプリンタやスキャンを行うことが可能な画像形成システムも普及してきている。
【０００３】
このような画像形成システムでは、ある装置で原稿をスキャンし、指定したネットワーク上のプリンタへスキャン画像を送信してプリントすることで、コピー動作を行うリモートコピーが可能である。また、ネットワーク上で印刷対象のデータが保持されている所在場所を示す情報（以下、「参照情報」という。例えば、ＵＲＬ（Ｕｎｉｆｏｒｍ  Ｒｅｓｏｕｒｃｅ  Ｌｏｃａｔｏｒ）等）が入力されるとその参照情報に従って自らその情報のデータを取得して、この取得したデータに基づきプリント動作を行うプルプリント機能も可能である。さらに、ローカル機器側で蓄積記憶した画像データについても、上記動作が可能になっている。
【０００４】
さらにまた、上述したような画像形成システムが普及することに伴って、本来複写等を無断で行うことが許されない原稿（例えば、著作権がある原稿、領収書、証券、証明書等）については、簡単に複写されることがないようにスキャナで読み取って印刷することによって複写すると文字や画像等が浮かび上がる特殊な模様が背景に印刷されるものがある。この特殊な模様は、一般に、「複写抑止情報」、「偽造防止地紋（あるいは単に地紋）」と呼ばれ、複写によって原本が容易に複製できないような仕掛けを施し、原本の複写を抑止する効果を実現している。
【特許文献１】特開２００４−９４８７４公報
【発明の開示】
【発明が解決しようとする課題】
【０００５】
上述したように、近年の画像形成装置はさまざまな用途で使用されてきており、不正防止機能等も搭載されているものが多い。しかしながら、本来は複写等を無断で行うことが許されない原稿として、原稿自体に偽造防止地紋が形成されているものであっても、正式に使用者がお金を支払う（以下、「課金」という。）ことで複製を許可される場合も考えられる。しかし、原稿自体に地紋処理されているために、当該原稿をスキャンしても地紋が浮き上がってしまい、スキャン画像自体が既にオリジナル原稿とは異なってしまうという問題が発生する。
【０００６】
また、スキャン画像に対して課金された画像データは、地紋の消去処理を施すことによってオリジナル原稿に近いものを得ることが可能となる。しかし、地紋が消去された画像をそのまま印刷してしまうと、本来１枚の複写分しか課金しておらず許可していない画像データに対して、孫複写等動作を行ったりすることが可能になる問題が発生する。
【０００７】
さらに、ローカル機器側で蓄積記憶した画像データをネットワーク接続された別の画像処理装置からプルプリント動作を行うことによって、原稿に対する課金範囲を超えた画像データを印刷出力することが可能となるという問題もあった。
【０００８】
本発明は、このような事情を考慮してなされたものであり、無断複製を防止するために地紋模様等が埋め込まれている原稿に対して、複製許可がされている場合は当該原稿のオリジナルの電子データを用いて画像品位の高い複製原稿を印刷出力することを許可する一方、当該印刷出力されたものに対しては無断複製を抑止することができる画像処理システム及び画像処理方法を提供することを目的とする。
【課題を解決するための手段】
【０００９】
上記課題を解決するために、本発明に係る画像処理システムは、
複製抑止情報が形成された原稿を読み取る原稿読取手段と、
前記原稿読取手段によって読み取られた前記原稿に付加された所定の特定情報を抽出する抽出手段と、
前記特定情報に基づいて所定の保持手段に保持された前記原稿に対応するオリジナル原稿の電子データであって前記複写抑止情報が付加されていない電子データを検索する検索手段と、
前記検索手段により検索された前記電子データの転送を要求する要求手段と、
前記要求手段による要求に応じて前記保持手段から前記電子データを取得する取得手段と、
前記取得手段により取得した前記電子データに複製を抑止するための複製抑止情報を付加する情報付加手段と、
前記情報付加手段により前記複製抑止情報が付加された前記電子データを印刷する印刷手段と
を備えることを特徴とする。
【発明の効果】
【００１０】
本発明によれば、無断複製を防止するために地紋模様等が埋め込まれている原稿に対して、複製許可がされている場合は当該原稿のオリジナルの電子データを用いて画像品位の高い複製原稿を印刷出力することを許可する一方、当該印刷出力されたものに対しては無断複製を抑止することができる。
【発明を実施するための最良の形態】
【００１１】
以下、図面を参照して、本発明の一実施形態に係るカラー画像形成装置を備える画像処理システムについて詳細に説明する。尚、以下では、ユーザがコンビニエンスストア等に設置されているプリンタ、スキャナ、データ蓄積、プルプリント、課金機能等を搭載したマルチファンクションシステム（以下、「ＭＦＰシステム」という。）を利用して、予め地紋処理がされた原稿をスキャンするとともに、複写許可を得るために課金を行った場合に、インターネット等のネットワーク（通信網）上に存在するオリジナル原稿保持サーバから対応する電子データを取得することを前提に説明を行う。
【００１２】
＜第１の実施形態＞
［ＭＦＰシステムの概要］
図１は、本発明の第１の実施形態に係る画像処理システム（ＭＦＰシステム）の概要構成を示す図である。図１に示すように、本実施形態の画像処理システムは、インターネット網１０４を介して、コンビニＭＦＰシステム１０１、オリジナル原稿保持サーバ１０２、携帯機器会社のサービスサーバ１０３が接続されることにより構成される。
【００１３】
まず、コンビニＭＦＰシステム１０１は、コンビニエンスストア等に設置されているマルチファンクションシステム（以下、「ＭＦＰ」という。）である。尚、コンビニＭＦＰシステム１０１の詳細については後述する。次に、オリジナル原稿保持サーバ１０２は、原稿のオリジナル画像、すなわち地紋処理が施されていないデジタル電子データを保持している。携帯機器会社のサービスサーバ１０３は、ユーザがサービスを使用した際の課金処理を行う携帯機器等のためのサーバである。
【００１４】
また、インターネット網１０４は、一般的には、イーサネット（登録商標）と呼ばれるシステムが知られており、１００ＢａｓｅＴ等の物理的なケーブルを用いてＴＣＰ／ＩＰ等のプロトコルにより、接続される各ユニット相互の情報授受やデータ転送を行うことができる。携帯機器１０５は、ユーザが使用している携帯電話等の通信機能を備えた携帯機器である。
【００１５】
次に、図１に示したコンビニＭＦＰシステム１０１の構成についてさらに詳細に説明する。第１の実施形態に係るコンビニＭＦＰシステム１０１は、ＭＦＰ１１１、モニタ１１２、及びローカルエリアネットワーク（以下、「ＬＡＮ」という。）１１３を具備している。ＭＦＰ１１１は、プリンタ、スキャナ、データ蓄積、プルプリント、課金機能等を有し、モニタ１１２と接続されている。ＬＡＮ１１３は、コンビニＭＦＰシステム１０１が設置されているコンビニエンスストア等の内部のネットワーク網であり、複数のＭＦＰ１１１が接続されていてもよい。
【００１６】
［ＭＦＰ１１１の構成］
図２は、図１に示すコンビニＭＦＰシステム１０１におけるＭＦＰ１１１の具体的な実現例であるデジタル複写機の構成の一例を示す外観図である。図２において、ＭＦＰ１１１は、原稿画像を読み取るイメージリーダ部２０１と、イメージリーダ部２０１で読み取った画像データを再現するプリンタ部２０２と、ＭＦＰ１１１の各種動作設定を指定するための操作部２０３とに大きく分けられる。
【００１７】
イメージリーダ部２０１は、例えば４００ｄｐｉ（ｄｏｔｓ／ｉｎｃｈ）の解像度で原稿を読み取り、デジタル信号処理を行う部分である。イメージリーダ部２０１においてユーザが原稿用紙を原稿フィーダ２０５のトレイ２０４にセットして、操作部２０３において読み取りの起動指示を開始する。これにより、ＭＦＰ１１１のコントローラＣＰＵがイメージリーダ部２０１に指示を与え、原稿フィーダ２０５は原稿用紙を１枚ずつフィードして、イメージリーダ部２０１が原稿画像の読み取り動作を行う。
【００１８】
また、操作部２０３は、コピー動作時の設定指示や状態表示や、各種動作設定の指定をするためのユーザインタフェースである。さらに、プリンタ部２０２は、イメージリーダ部２０１によって読み取られた原稿画像に対応した画像を４００ｄｐｉの解像度で指定用紙にフルカラープリントする部分である。プリンタ部２０２は、異なる用紙サイズ、又は異なる用紙向きを選択できるように複数の給紙段を備えており、それぞれに対応した用紙カセット２０７、２０８、２０９がある。また、排紙トレイ２０６は、印字し終わって出力された用紙を受けるものである。
【００１９】
図３は、第１の実施形態に係るＭＦＰ１１１のハードウェア構成を示すブロック図である。以下、図３を用いて、ＭＦＰ１１１のコントローラ制御による動作例について説明する。
【００２０】
図３において、コントローラ２００はイメージリーダ部であるスキャナ２０１やプリンタ部であるプリンタエンジン２０２と接続する。また、コントローラ２００は、一方でネットワークＩ／Ｆ３０８経由でＬＡＮ１１３に接続し、複数の他のＭＦＰやインターネット上に接続されたオリジナル原稿保持サーバ１０２との間で画像データ、画像情報、デバイス情報等の入出力を行う。
【００２１】
ＣＰＵ３０１は、システム全体を制御するコントローラであり、ＲＯＭ３０３に格納された制御プログラムに従って各処理部に対する各処理の判断、制御を行う制御信号を送信することで制御を実現する。ＲＡＭ３０２は、ＣＰＵ３０１が各制御を行うための作業領域として使用され、また、画像データを一時記憶する画像メモリとしても使用される。
【００２２】
ＨＤＤ３０４は、ハードディスクドライブであり、システムソフトウェアや画像データを格納するために使用される。操作部Ｉ／Ｆ３０６は、操作部２０３との間のインタフェースを司り、使用者が操作部２０３を介して入力した情報をＣＰＵ３０１に伝える役割を果たす。また、操作部２０３から入力された動作モード等の環境設定情報は、不揮発性のメモリであるＮＶＲＡＭ３１６に記憶される。
【００２３】
ネットワークインタフェース（以下、「ネットワークＩ／Ｆ」という。）３０８は、ＬＡＮ１１３に対して情報の入出力を行う。システムバス３０７は、上述したＣＰＵ３０１、ＲＡＭ３０２、ＲＯＭ３０３、ＨＤＤ３０４、操作部Ｉ／Ｆ３０６、ネットワークＩ／Ｆ３０８、及びＮＶＲＡＭ３１６が接続されている。
【００２４】
イメージバスインタフェース（以下、「Ｉｍａｇｅ  Ｂｕｓ  Ｉ／Ｆ」と称す。）３０５は、システムバス３０７と画像データを高速で転送する画像バス３０９とを互いに接続し、データ構造を変換するバスブリッジである。画像バス３０９は、ＰＣＩバス、又はＩＥＥＥ１３９４で構成され、以下のデバイスが配置される。
【００２５】
すなわち、ラスターイメージプロセッサ（以下、「ＲＩＰ」と称す。）３１０は、ネットワークから送信されてきたＰＤＬコードをビットマップイメージに展開する。デバイスＩ／Ｆ部３１１は、画像入出力デバイスであるスキャナ２０１やプリンタエンジン２０２とコントローラとを接続し、画像データの同期系／非同期系の変換を行う。スキャナ画像処理部３１２は、入力データに対し補正、加工、編集を行う。プリンタ画像処理部３１３は、プリント出力データに対してプリンタの補正、解像度変換等を行う。画像回転処理部３１４は、画像データの回転を行う。画像圧縮処理部３１５は、多値画像データをＪＰＥＧ、２値画像データをＪＢＩＧ、ＭＭＲ、ＭＨ等で圧縮伸長処理を行う。
【００２６】
［スキャナ画像処理部３１２］
図４は、図３に示すＭＦＰ１１１におけるスキャナ画像処理部３１２の細部構成例を示すブロック図である。以下では、図４等を用いてスキャナ画像処理部３１２の細部動作を説明する。
【００２７】
図４において、画像バスＩ／Ｆコントローラ３１２１は、画像バス３０９に接続し、そのバスアクセスシーケンスを制御する働きとスキャナ画像処理部３１２内の各デバイスの制御及びタイミングを発生させる。フィルタ処理部３１２２は、空間フィルタを用いてコンボリューション演算を行う。特定情報処理部３１２３は、スキャナ２０１で読み取った地紋埋め込み原稿からオリジナルの電子情報の所在を特定する。
【００２８】
また、図４において、入力色補正処理部３１２４は、読み取り画像データに対して適正な色空間への変換処理を３次元ＬＵＴを使用して行う。編集部３１２５は、例えば入力画像データからマーカーペンで囲まれた閉領域を認識して、その閉領域内の画像データに対して影付け、網掛け、ネガポジ反転等の画像加工処理を行う。変倍処理部３１２６は、読み取り画像の解像度を変える場合にラスタイメージの主走査方向について補間演算を行って拡大、縮小処理を行う。尚、副走査方向の変倍については、画像読み取りラインセンサ（不図示）を走査する速度を変えることで行う。
【００２９】
［プリンタ画像処理部３１３］
図５は、図３に示すＭＦＰ１１１におけるプリンタ画像処理部３１３の細部構成例を示すブロック図である。以下では、図５等を用いてプリンタ画像処理部３１３の細部動作を説明する。
【００３０】
図５において、画像バスＩ／Ｆコントローラ３１３１は、画像バス３０９に接続し、そのバスアクセスシーケンスを制御する働きとプリンタ画像処理部３１３内の各デバイスの制御及びタイミングを発生させる。解像度変換処理部３１３２は、スキャナ２０１或いはＬＡＮ１１３、インターネット網１０３から入力された画像データをプリンタエンジン２０２の解像度に変換するための解像度変換を行う。
【００３１】
また、出力色補正処理部３１３３は、解像度変換処理部３１３２で変換された画像データに対して、プリンタエンジンの特性に合わせた３次元ＬＵＴを使用して補間演算処理を行い、ＣＭＹＫ形式の印刷情報に変換する。地紋画像生成部３１２４は、所定の規則に従って不図示の入力背景画像データに画像処理を行い、地紋画像データを生成する。合成部３１３５は、出力色補正処理部３１３３で補正処理された印刷情報と地紋画像生成部３１３４で生成された地紋画像データとを合成し、地紋合成出力画像を生成する。
【００３２】
濃度補正処理部３１３６は、濃度補正テーブルを用いて濃度特性が線形性を保存するような処理を行う。中間調処理部３１３７は、多値の出力画像データを誤差拡散処理やスクリーン処理によって所定の階調数に変換する。
【００３３】
［画像回転処理部３１４］
図６は、図３におけるＭＦＰ１１１における画像回転処理部３１４の細部構成例を示すブロック図である。以下では、図６等を用いて画像回転処理部３１４の細部動作を説明する。
【００３４】
図６において、画像バスＩ／Ｆコントローラ３１４１は、画像バス３０９に接続し、そのバスアクセスシーケンスを制御する働きと画像回転処理部３１４にモード等を設定する制御、及び画像回転処理部３１４に画像データを転送するためのタイミング制御を行う。画像回転部３１４２は、画像バスＩ／Ｆコントローラ３１４１で設定される画像サイズや回転方向、角度等の設定に従い、ＲＡＭ３１４３に画像データを書き込む。
【００３５】
［画像圧縮処理部３１５］
図７は、図３におけるＭＦＰ１１１における画像圧縮処理部３１５の細部構成例を示すブロック図である。以下、図７等を用いて画像圧縮処理部３１５の動作を説明する。
【００３６】
図７において、画像バスＩ／Ｆコントローラ３１５１は、画像バス３０９に接続し、そのバスアクセスシーケンスを制御する働き、入力バッファ３１５２、出力バッファ３１５５とのデータのやり取りを行うためのタイミング制御及び画像圧縮部３１５３に対するモード設定等の制御を行う。画像圧縮部３１５３は、画像バスＩ／Ｆコントローラ３１５１で設定されるＭＭＲ圧縮、ＪＢＩＧ伸長等の設定に従い、ＲＡＭ３１５４に圧縮データを書き込む。
【００３７】
［地紋付加原稿スキャン動作手順］
図８は、ユーザがコンビニエンスストア等に設置されているＭＦＰシステム１０１のＭＦＰ１１１を使用して原稿をスキャンしてオリジナル電子データを取得するまでの動作の概略を説明するためのシーケンス図である。すなわち、ユーザは、コンビニエンスストア等に設置されているＭＦＰシステム１０１のＭＦＰ１１１を使用して、地紋が埋め込まれている複写防止原稿に対してオリジナル電子データをインターネット網１０４上に接続されているオリジナル原稿保持サーバから取得する。そして、ユーザが所望する情報を取得することに対する利用金額を携帯機器会社のサービスサーバ１０３上で課金した後、ユーザはオリジナル電子データを取得することができる。尚、図８に示す処理を実現する制御プログラムは、上述したようにＲＯＭ３０３に格納されており、ＣＰＵ３０１により実行される。
【００３８】
まず、ユーザはコンビニエンスストア等のＭＦＰシステム１０１が設置されている場所で、ＭＦＰ１１１を使用して地紋が埋め込まれている原稿のスキャン動作を行う（ステップＳ８０１）。図９は、第１の実施形態に係るＭＦＰ１１１で使用される地紋原稿の一例を示す図である。地紋原稿９０１は、図９に示すように、画像自体にあらかじめ地紋情報が埋め込まれており、その原稿の任意の位置に予め定められた特定情報としてのキーコード９０２が印刷されているものである。
【００３９】
地紋原稿９０１は、ＭＦＰ１１１で通常の複写動作を行った場合には、図１０に示すように予め埋め込まれた地紋情報により地紋が浮かび上がり（イメージリーダ部２０１によって地紋原稿９０１を読み取ることによって得た画像データに基づく画像は地紋が人間の目で十分に確認できる程度に可視化される）不正複写を防止することが可能となっている。すなわち、図１０は、第１実施形態に係るＭＦＰ１１１で地紋原稿をそのまま印刷した場合の出力例を示す図である。
【００４０】
キーコード９０２は、ＭＦＰ１１１に搭載されたイメージリーダ部２０１によって読み込まれ、スキャナ画像処理部３１２内の特定情報処理部３１２３によって電子情報に変換可能なものである。例えば、キーコード９０２は、バーコードや英数字等で印刷されていたり、電子透かしにより原稿中に埋め込まれていたりするものである。尚、キーコード９０２上には誤読を防止するために地紋情報がのらないようにしておくのが望ましい。
【００４１】
また、変換される電子情報としては、インターネット網１０４上に接続されたオリジナル原稿保持サーバ１０２のＵＲＬ（Ｕｎｉｆｏｒｍ  Ｒｅｓｏｒｃｅ  Ｌｏｃａｔｏｒ）及びＭＦＰ１１１のネットワークアドレスが含まれる。尚、図９では、バーコード方式のキーコードを示している。すなわち、当該キーコードは、特定の長さに定められた線が複数本並べられることにより形成されるものであり、それぞれ第１の実施形態に係るＭＦＰ１１１で地紋原稿をそのまま印刷した場合の出力例を示す図である。また、その線の太さは、電子的な情報の意味より異なっている。例えば、英数字３６文字毎にそれぞれの情報を示す線の太さを設定しておく。
【００４２】
ＭＦＰ１１１に搭載されたイメージリーダ部２０１は、キーコードを含んだ地紋原稿を読み取ることにより、キーコードの部分を特異部分として抽出し、スキャナ画像処理部３１２内の特定情報処理部３１２３においてキーコードを形成している各線の太さを算出して、この結果からキーコードが表す情報を読み取る。次にＭＦＰ１１１は、前記自動的に読み取ったキーコード内部に含まれるオリジナル原稿保持サーバ１０２のＵＲＬを使用して、インターネット網１０４を介してオリジナル原稿保持サーバ１０２にキーコードの送信を行う（ステップＳ８０２）。
【００４３】
ＭＦＰ１１１よりキーコードを受信したオリジナル原稿保持サーバ１０２は、情報配信が可能であることを返信し、また、情報配信に必要な課金情報をＭＦＰ１１１に対して返信する（ステップＳ８０３）。オリジナル原稿保持サーバ１０２から地紋原稿のオリジナル電子データの配信が可能であることを通知されたＭＦＰ１１１は、ＭＦＰシステム１０１のモニタ１１２に、ユーザに対して情報が利用可能であることを表示してユーザに操作の継続を促す（ステップＳ８０４）。
【００４４】
次に、ユーザはモニタ１１２に表示された情報に基づいてＭＦＰ１１１の操作部２０３を使用して電子データの配信を要求する（ステップＳ８０５）。ユーザからの配信データの受信要求を受けたＭＦＰ１１１は、オリジナル原稿保持サーバ１０２に対して、インターネット網１０４を介して電子データの配信を要求する（ステップＳ８０６）。
【００４５】
電子データの配信を要求されたオリジナル原稿保持サーバ１０２は、電子データを要求したＭＦＰ１１に対して携帯機器１０５の接続を指示する（ステップＳ８０７）。オリジナル原稿保持サーバ１０２より携帯機器１０５の接続を要求されたＭＦＰ１１１は、ユーザに対して、ユーザが所持している携帯機器１０５をＭＦＰ１１１に装着或いは有線又は無線で通信可能な状態にすることを要求する画面をモニタ１１２に表示する（ステップＳ８０８）。
【００４６】
図１１は、第１の実施形態に係るＭＦＰ１１１に装着等される携帯機器１０５の細部構成例を示すブロック図である。以下では、図１１等を用いて携帯機器１０５の動作を説明する。
【００４７】
図１１において、携帯機器１０５は、携帯電話と同様にＬＣＤの表示部（以下、「ＬＣＤ表示部」という。）１０５４、及び操作部１０５５を備えており、また電話として機能するための電話機能部１０５２を持つ。機能の中央部１０５１には、機器全体の制御を行うためのＣＰＵ１０５６が搭載されており、またＣＰＵ１０５６が動作するための一時記憶を行う媒体としてＲＡＭ１０５７が接続されている。
【００４８】
また、中央部１０５１には、個人の情報を記憶したＲＯＭ１０５９が搭載されており、このＲＯＭ１０５９には、電話番号や携帯機器会社が個人を識別するためのＩＤ情報等が記憶されている。ＲＯＭ１０５９は、ＲＯＭインタフェース（以下、「ＲＯＭＩ／Ｆ」と称す。）１０５８を介してＣＰＵ１０５６と接続されており、必要に応じて、ＲＯＭ１０５９の部分だけを脱着可能な構成となっている。
【００４９】
さらに、本実施形態の携帯機器１０５には、外部拡張インタフェース（以下、「外部拡張Ｉ／Ｆ」と称す。）１０５３が設けられており、例えば赤外線通信やＢｌｕｅｔｏｏｔｈ等の無線Ｉ／Ｆを取り付けることにより、他の機器との通信も可能になる。尚、本実施形態の携帯機器１０５における外部拡張Ｉ／Ｆ１０５３は、ＭＦＰ１１１と接続し、情報を送受信するためのインタフェースとして使用できるものである。また、外部拡張Ｉ／Ｆ１０５３には、ＩＣカード等を取り付けることも可能であり、個人情報やユーザが使用する情報等を、内部のＲＯＭ１０５９やＲＡＭ１０５７ではなく、ＩＣカードへ記憶させることも可能である。
【００５０】
ＭＦＰ１１１からの指示に従って、ユーザが携帯機器１０５をＭＦＰ１１１に接続すると、ＭＦＰ１１１は、接続された携帯機器１０５内部のＲＯＭ１０５９に記憶されている携帯機器１０５の電話番号や、携帯機器１０５ごとに独立に管理されているＩＤ（個人の情報）を読み出す。また、この時にＭＦＰ１１１は、携帯機器１０５に対するサービスを管理、運営している会社の情報も引き出す（ステップＳ８０９）。このとき、携帯機器１０５の外部拡張Ｉ／Ｆ１０５３に指紋を読み取るためのスキャナを取り付けることも可能であり、個人データに合わせて個人の指紋情報を送信することも可能である。
【００５１】
ＭＦＰ１１１によって読み出された携帯機器１０５に記憶されていた個人の情報は、インターネット網１０４を介して携帯機器会社のサービスサーバ１０３へ携帯機器１０５から取得した個人の情報を送信し、個人情報の照会を行って携帯機器会社へ正式に登録されている人物であるかを確認する（ステップＳ８１０）。尚、このとき、外部拡張Ｉ／Ｆ１０５３に指紋を読み取るためのスキャナが取り付けられている場合には、携帯機器会社のサービスサーバ１０３は、個人の情報の他に、個人の指紋情報も合わせて個人を特定（識別）することも可能である。
【００５２】
携帯機器１０５の携帯機器会社で正式に登録されている人物であることが確認された後、オリジナル原稿保持サーバ１０２から電子データを配信するためにかかる費用の課金を、携帯機器会社のサービスサーバ１０３へ要求する。
【００５３】
携帯機器会社は、ＭＦＰ１１１からインターネット網１０４に接続されているオリジナル原稿保持サーバ１０２の情報が通知され、このオリジナル原稿保持サーバ１０２が提供した電子データ配信を利用した場合の課金情報も受け取った後、オリジナル原稿保持サーバ１０２を管理、運営している業者やその電子データに著作権等の権利を保有している個人に対して電子データの利用料金の振込みを行う。
【００５４】
携帯機器会社がオリジナル原稿保持サーバ１０２を管理、運営している業者やその電子データに著作権等の権利を保有している個人に対して振り込んだ料金は、ユーザが利用している携帯機器１０５のサービスとして課金され、ユーザから携帯機器１０５のサービスを運営している会社に対して、後日振り込まれていることとなる。
【００５５】
前述したように、携帯機器会社での課金手続が終了した段階で、携帯機器会社のサービスサーバ１０３は、ＭＦＰ１１１に対して課金手続きが終了したことを通知する（ステップＳ８１１）。次に、ＭＦＰ１１１は、インターネット網１０４を介して、オリジナル原稿保持サーバ１０２に対して課金手続きが終了したことを通知して、電子データの配信を許可することを要求する（ステップＳ８１２）。
【００５６】
電子データに対する課金手続きが終了したことを受信したオリジナル原稿保持サーバ１０２は、オリジナル原稿保持サーバ１０２内に記憶されている電子データをインターネット網１０４を介してＭＦＰ１１１に対して送信する（ステップＳ８１３）。
【００５７】
電子データをオリジナル原稿保持サーバ１０２から受信し終わったＭＦＰ１１１は、モニタ１１２に電子データが受信されたことを通知する（ステップＳ８１４）。そして、ユーザは、モニタ１１２上に表示された受信完了を確認し（ステップＳ８１５）、ＭＦＰ１１１はユーザへ作業終了を通知して動作を終了する（ステップＳ８１６）。上記の動作により受信した地紋原稿のオリジナル電子データは、ＭＦＰ１１１内のＨＤＤ３０４に格納される。
【００５８】
［地紋原稿のオリジナル電子データプリント動作手順］
図１２は、図８のシーケンス図に示す動作で取得した地紋原稿のオリジナル電子データに対してＭＦＰ１１１で保有している地紋を付加する動作の概略を説明するためのフローチャートである。すなわち、本処理は、上述した動作により取得した地紋原稿のオリジナル電子データを、ユーザがコンビニエンスストア等に設置されているＭＦＰシステム１０１が設置されている場所で、ＭＦＰ１１１を使用して印刷を行う際に、正規に使用することができるユーザ以外に印刷物を複写する孫複写行為を防止するために、ユーザが取得したオリジナル電子データに対してＭＦＰ１１１で保有している地紋を付加するものである。尚、図１２に示す処理を実現する制御プログラムは、上述したようにＲＯＭ３０３に格納されており、ＣＰＵ３０１により実行される。
【００５９】
本実施形態では、背景部に対応する画像は、ドット分散型ディザマトリクス（以下、「背景ディザマトリクス」という。）を用いてドットが離散的に配置されるように設計し、潜像部に対応する画像はドット集中型マトリクス（以下、「潜像ディザマトリクス」という。）を用いてドットが集中して配置されるように設計する。また、背景ディザマトリクスにより２値化された画像を「背景閾値パターン」と呼び、潜像ディザマトリクスにより２値化された画像を「潜像閾値パターン」と呼ぶ。
【００６０】
さらに、本実施形態では、印刷時に背景部と潜像部の濃度が等しくなるような、背景部と潜像部を構成するパターンである背景閾値パターン、潜像閾値パターン、潜像部と背景部を指定する２値画像である潜像背景領域指定画像、及びカモフラージュ領域を指定する２値画像であるカモフラージュ領域指定画像を用いて論理演算することにより地紋画像を生成する。
【００６１】
また、地紋画像は、印刷する画像データの中で一番使用頻度の高い印刷色シアン（Ｃ）、マゼンタ（Ｍ）、イエロー（Ｙ）、ブラック（Ｋ）のいずれか単色で印刷する。尚、背景閾値パターン、潜像閾値パターンは、地紋画像の背景部と潜像部の印刷時の濃度を決定するパラメータであり、「地紋パラメータ」の具体的な構成要素とする。また、１画素単位で地紋画像に対するドットのＯＮ／ＯＦＦの論理演算を実行し、地紋画像の生成を行う。
【００６２】
図１２に示すように、取得した地紋原稿のオリジナル電子データを印刷するために、プリンタ画像処理部３１３は、画像バス３０９を介して原稿電子データを読み込む（ステップＳ１２０１）。次いで、プリンタ画像処理部３１３は、出力色補正処理を行った印刷色ＣＭＹＫに対して各色についてヒストグラム解析を行う（ステップＳ１２０２）。ヒストグラム解析は、１画素毎にＣＭＹＫ各色をカウントしてもよいし、また、一定の画素間間隔でサンプリングしてカウントしてもよい。
【００６３】
次に、プリンタ画像処理部３１３は、印刷する原稿電子データのＣＭＹＫ各色のカウント値で、最大の色を地紋処理を行う色として決定する（ステップＳ１２０３）。これにより、入力される電子データに応じて一番多いＣＭＹＫ値を決定するために、プリンタ側の地紋処理を画像データに対して目立たなくする効果が得られる。
【００６４】
図１３は、第１の実施形態に係るＭＦＰ１１１のプリンタ画像処理部３１３内にある地紋画像生成部３１３４の内部処理例を説明するためのブロック図である。以下では、図１３等を用いて地紋画像生成部３１３４の細部動作を説明する。
【００６５】
地紋画像生成部３１３４には、入力背景画像４００１、色情報４００２、処理領域情報４００３、潜像閾値パターン４００４、背景閾値パターン４００５、潜像背景領域指定画像４００６、カモフラージュ領域指定画像４００７が入力され、地紋画像４００８は生成して出力する。地紋画像生成部３１３４は、所定の規則に従って入力背景画像４００１に画像処理を行い、地紋画像４００８を生成する。尚、入力背景画像４００１は、多値画像でも２値画像でも良い。
【００６６】
また、処理領域情報４００３は、入力画像情報中で地紋の埋め込み処理を行う領域を示す情報である。潜像背景領域指定画像４００６は、潜像部と背景部を指定するための画像であり、１画素１ｂｉｔで構成される。潜像背景領域指定画像４００６の一方のビット（例えば１）は潜像部を表し、他方のビット（例えば０）は背景部を表す。カモフラージュ領域指定画像４００７は、カモフラージュ効果を持たせるために濃度を薄くする領域を指定するための画像であり、潜像背景領域指定画像４００６と同様に１画素１ｂｉｔで構成される。カモフラージュ領域指定画像４００７の一方のビット（例えば１）はカモフラージュ領域でないことを示し、他方のビット（例えば０）は周囲に比べて濃度を薄くするカモフラージュ領域であることを示す。
【００６７】
図１４は、図１３に示す潜像背景領域指定画像４００６及びカモフラージュ領域指定画像４００７の一例を示す図である。図１４において、１４０１は潜像背景領域指定画像４００６の一例であり、１４０２はカモフラージュ領域指定画像４００７の一例である。
【００６８】
前述したように、背景閾値パターン４００５と潜像閾値パターン４００４は、印刷出力時に等しい濃度として出力されるように適当な画像信号をそれぞれ背景ディザマトリクスと潜像ディザマトリクスの閾値で閾値処理して生成されている。
【００６９】
上記ステップＳ１２０３で地紋画像の色を決定した後、地紋画像生成部３１３４は、入力背景画像４００１、潜像閾値パターン４００４、背景閾値パターン４００５、潜像背景領域指定画像４００６、カモフラージュ領域指定画像４００７等の地紋処理用画像を読み込む（ステップＳ１２０４）。次に、地紋画像生成部３１３４は、地紋画像生成する際の初期画素を決定する（ステップＳ１２０５）。例えば、入力画像全体に対して左上から右下までラスター走査順に画像処理を行い、地紋画像に変更する場合、左上を初期位置とする。
【００７０】
次に、地紋画像生成部３１３４は、潜像閾値パターン４００４、背景閾値パターン４００５、潜像領域指定画像４００６、カモフラージュ領域指定画像４００７を入力背景画像４００１の左上からタイル上に配置するとし、処理対象となっている入力背景画像４００１の画素に対して、以下の式（１）を計算し、印刷時のドットに対応する画素値を書き込む（ＴＲＵＥ）か否かを判断する（ステップＳ１２０６）。
【００７１】
【数１】
2006166139.tif 000003
【００７２】
ここで、式（１）の構成要素の定義を以下に示す。
nCamouflage：カモフラージュ領域指定画像で画素がカモフラージュ領域であれば０、そうでなければ１、
nSmallDotOn：背景閾値パターンの画素値が黒であれば１、白であれば０、
nLargeDotOn：潜像閾値パターンの画素値が黒であれば１、白であれば０、
nHiddenMark：潜像背景領域指定画像で潜像部に相当する画素であれば１、背景部に相当する画素であれば０、
/nHiddenMark：nHidenMarkの否定であり、潜像部で０、背景部で１となる。
【００７３】
尚、このとき、入力背景画像の画素値を参照しながら、印刷時のドットに対応する画素値に書き込むか否かを判定してもよい。この場合、式（１）の右辺に入力背景画像を参照して得られる項目（nBackground）を乗算するとよい。このnBackgroundは、入力背景画像が特定の画素値を持つ領域（白地領域）であれば１、それ以外の領域であれば０とする。
【００７４】
次に、上記ステップＳ１２０６での計算結果（nWriteDotOnの値）を判定する（ステップＳ１２０７）。そして、ステップＳ１２０７での計算結果が１である場合、印刷時のドットに対応する画素値を書き込む処理を行い（ステップＳ１２０８）、ステップＳ１２０９に進む。一方、ステップＳ１２０７の判定で、ステップＳ１２０６での計算結果が０であると判定された場合（Ｎｏ）はステップＳ１２０８の処理を行わず、ステップＳ１２０９へ進む。
【００７５】
ステップＳ１２０９では、入力背景画像４００１の処理対象領域の全画素が処理されたか否かを判定する。その結果、全画素の処理が終了していないと判断された場合（Ｎｏ）には、未処理の画素へ対象を移行し（ステップＳ１２１０）、ステップＳ１２０６へ戻って上記処理を繰り返す。一方、Ｓ１２０９で全画素の処理が終了したと判断された場合（Ｙｅｓ）は、地紋画像が生成終了したと判断し、ステップＳ１２０３で決定された地紋画像の色情報に従って地紋画像に対して色情報を設定する（ステップＳ１２１１）。そして、入力電子データと地紋画像を合成し（ステップＳ１２１２）、本処理を終了する。
【００７６】
図１５は、図１２に示すフローチャートの処理動作によって生成された地紋画像の一部を示す図である。図１５に示す地紋画像は、潜像背景領域指定画像とカモフラージュ領域指定画像とを図１４に示す画像１４０１、１４０２を用いている。この結果、生成される地紋画像の潜像部を判別しにくくしている。
【００７７】
以上、説明したように、本実施形態によれば、無断に複製ができないように地紋等が埋め込まれている原稿画像をスキャンしてＭＦＰのＨＤＤに保存する場合や印刷動作を行う場合に、原稿画像に対して課金することによって複製許可が与えられたことを条件として、原稿画像のオリジナルデータを検索し、原稿画像の代わりにＨＤＤに保存や印刷を行うことが可能となり、画像品位の高い原稿を得ることが可能となる。また、上記課金対象が１枚のみ複製可能としていた場合には、プリンタ画像処理部に搭載されているデバイス保有の地紋を原稿画像に対して画像品位を損なうことなく同系色で埋め込むことにより、孫複写を防止する効果も可能となる。
【００７８】
＜第２の実施形態＞
前述した第１の実施形態では、無断複製を防止するために地紋等が埋め込まれている原稿画像を課金することによって、課金の範囲内についてオリジナル電子データを検索して電子データを印刷する処理を行った。これに対して、第２の実施形態においては、課金の範囲外について複製行為を行った場合には、地紋等が埋め込まれている原稿画像自体をスキャンして印刷する処理を実現する。尚、第２の実施形態に係る画像処理システム（ＭＦＰシステム）やＭＦＰ１１１等の構成については前述した第１の実施形態と同様である。また、第１の実施形態と同様の処理については同様の記号を図示し、その説明を省略する。
【００７９】
図１６は、本発明の第２実施形態におけるＭＦＰ１１１による無断複製禁止の原稿画像に対して課金範囲の印刷動作と課金範囲外の印刷動作手順を説明するためのフローチャートである。また、図１６に示す処理を実現する制御プログラムは、上述したようにＲＯＭ３０３に格納されており、ＣＰＵ３０１により実行される。
【００８０】
図１６に示すように、まず、地紋原稿画像の読み込みを行う（ステップＳ１６０１）。そして、地紋原稿画像に埋め込まれているキーコード等を抽出してそれに基づいてサーバ等に保管されているオリジナルの電子データを検索し、当該サーバに電子データの転送を要求する（ステップＳ１６０２）。尚、ステップＳ１６０１及びステップＳ１６０２の動作の詳細については、前述した図８のステップＳ８０１〜ステップＳ８０５に対応する動作のため、その説明を省略する。
【００８１】
次に、課金枚数をユーザが決定する（ステップＳ１６０３）。そして、課金手続き処理を経て（ステップＳ１６０４）、サーバから電子データを取得する（ステップＳ１６０５）。尚、ステップＳ１６０３〜ステップＳ１６０５の動作の詳細については、前述した図８のステップＳ８０６〜ステップＳ８１３に対応する動作のため説明を省略する。
【００８２】
但し、課金枚数に関しては、ユーザが実際に電子データ印刷を行いたい場合に、携帯機器１０５から指定することによって携帯機器会社のサービスサーバ１０３に通知し、枚数課金が実施されることとなる。尚、ユーザが特に枚数を指定しない場合には１枚複写のみが有効となる。また、上記動作により地紋原稿画像及び電子データについてはＭＦＰ１１１内に搭載されているＨＤＤ３０４に記憶される。
【００８３】
次に、印刷動作を実行する際に上記電子データが課金範囲内であるか否かを判断する（ステップＳ１６０６）。その結果、課金範囲内であると判断された場合（Ｙｅｓ）は、電子データの印刷処理を行う（ステップＳ１６０７）。尚、ステップＳ１６０７の動作の詳細については、前述した第１の実施形態におけるプリンタ画像処理部３１３の動作と同様であるのでその説明を省略する。
【００８４】
次に、ステップＳ１６０７で電子データの印刷処理が終了すると、全ての印刷処理が終了したか否かを判断する（ステップＳ１６０８）。その結果、終了していないと判断された場合（Ｎｏ）は、ステップＳ１６０６へ戻って上記処理を繰り返す。一方、ステップＳ１６０６で印刷しようとしている電子データが課金範囲外であると判断された場合（Ｎｏ）は、電子データでの印刷処理は行わず、スキャンした原稿画像処理に対して印刷処理を行う（ステップＳ１６０９）。その後、ステップＳ１６０８へ進む。
【００８５】
図１７は、図１６に示すフローチャートの処理によって課金範囲内のオリジナル電子データを印刷した結果を示す図である。また、図１８は、図１６に示すフローチャートの処理によって課金範囲外の地紋埋め込み原稿画像を印刷した結果を示す図である。
【００８６】
以上、説明したように、第２の実施形態によれば、無断に複製ができないように地紋等が埋め込まれている原稿画像をスキャンしてＭＦＰのＨＤＤに保存する場合や印刷動作を行う場合に、原稿画像に対して課金することによって複製許可が与えられたことを条件として、印刷枚数に応じて課金情報を割当て、課金範囲内の場合には原稿画像のオリジナルデータを検索し、原稿画像の代わりにＨＤＤに保存もしくは印刷を行った。また、課金範囲外の場合には、原稿自体を印刷行った。これにより、課金範囲内外で画像品位を区別して画像品位の高い原稿を得つつ、無断印刷行為を防止する効果が可能となる。
【００８７】
＜第３の実施形態＞
前述した第１及び第２の実施形態では、１台のＭＦＰシステムにおいて無断複製を許可されていない原稿に対して、高品位の画像を得ることについて説明した。これに対して、第３の実施形態においては、あるＭＦＰシステムで地紋原稿を読み取る際に、原稿に埋め込まれたキーコードを予め原稿スキャン画像と対にユーザ情報を保持しておく。そして、他のＭＦＰシステムからプルプリントする際に、ユーザ情報から課金範囲内であればオリジナル電子データをオリジナル原稿保持サーバよりプルプリント動作する。一方、課金範囲外について印刷行為を行った場合には、地紋等が埋め込まれている原稿画像自体を保持している別のＭＦＰシステムからプルプリント動作を行う処理を実現する。
【００８８】
尚、第３の実施形態において、第１実施形態及び第２実施形態と同様の装置構成及び処理内容については同様の記号を用いて図示し、その説明を省略する。また、本実施形態においては、原稿をスキャンするＭＦＰシステムをＭＦＰシステムＡ、プルプリント動作を行うＭＦＰシステムをＭＦＰシステムＢとする。
【００８９】
［地紋付加原稿スキャン動作手順］
図１９は、第３の実施形態における画像処理システムにおいてユーザが電子データを取得するためのパスワードを得るまでの動作手順を説明するためのシーケンス図である。すなわち、ユーザが、コンビニエンスストア等に設置されているＭＦＰシステムＡ１０１が設置されている場所で、ＭＦＰ１１１を使用して地紋が埋め込まれている複写防止原稿に対してオリジナル電子データをインターネット網１０４上に接続されているオリジナル原稿保持サーバより取得する。そして、ユーザが所望する前記情報を取得することに対する利用金額を携帯機器会社のサービスサーバ１０３上で課金し、オリジナル電子データを取得するためのパスワードを得るものである。尚、図１９に示す処理を実現する制御プログラムは、上述したようにＲＯＭ３０３に格納されており、ＣＰＵ３０１により実行される。
【００９０】
まず、ユーザは、コンビニエンスストア等のＭＦＰシステムＡ１０１が設置されている場所でＭＦＰ１１１を使用して地紋原稿のスキャンを行うと、ステップＳ１９０１〜ステップＳ１９０５までの動作が行われる。尚、第３の実施形態において、ステップＳ１９０１〜ステップＳ１９０５までの動作は、前述した図８におけるステップＳ８０１〜ステップＳ８０５までの動作と同様のため、その説明を省略する。
【００９１】
次に、ユーザからの配信データの受信要求を受けたＭＦＰ１１１を用いて、ステップＳ１９０６〜ステップＳ１９１０までの動作が行われる。尚、ステップＳ１９０６〜ステップＳ１９１０までの動作は、前述した図８におけるステップＳ８０８〜ステップＳ８１２までの動作と同様のため、その説明を省略する。
【００９２】
次に、原稿に対する課金手続きが完了したことを受信したオリジナル原稿保持サーバ１０２は、オリジナル原稿保持サーバ１０２内に記憶されている電子データをインターネット網１０４を介して転送可能なように許可するためのパスワードを生成する。そして、このパスワードの情報と一連の作業を行ったユーザを特定するために、オリジナル原稿保持サーバ１０２で任意に割り当てたＩＤを発行し、ＭＦＰ１１１に対して送信する（ステップＳ１９１１）。オリジナル原稿保持サーバ１０２上では、このＩＤで利用したユーザを特定（識別）する。
【００９３】
パスワードを受信したＭＦＰシステムＡ１０１は、接続されているユーザの携帯機器１０５に対して、パスワード情報とＭＦＰ１０１、オリジナル原稿保持サーバ１０２、及び携帯機器会社のサービスサーバ１０３間での通信ログとを携帯機器１０５へ転送する（ステップＳ１９１２）。
【００９４】
図２０は、第３の実施形態に係る携帯機器１０５内部のＲＡＭ１０５７に転送される情報の概略内容を示す図である。図２０において、ＭＦＰ１１１に接続されている携帯機器１０５の内部へ転送する情報としては、ユーザが所望した電子データの名称２００１、地紋原稿のオリジナル原稿のＵＲＬ２００３、実際に地紋原稿をスキャンしたＭＦＰ１１１のＵＲＬ２００４、課金等を行った携帯機器会社のサービスサーバのＵＲＬ２００５等がある。
【００９５】
また、ＭＦＰ１１１に接続されている携帯機器１０５の内部へ転送する情報としては、ＭＦＰ１１１側へ送信されたオリジナル原稿保持サーバ１０２が任意に割り当てた識別ＩＤ２００６、上記動作を実施した日時２００２、課金処理を行った枚数情報２００７、電子データをオリジナル原稿保持サーバ１０２から取得するためのパスワード情報２００８がある。
【００９６】
さらに、利用したＭＦＰ１１１の製品番号やコンビニＭＦＰシステム１０１のＬＡＮ１１３からインターネット網１０４に接続した際に使用したルータ情報等、通信に関わる履歴情報が通信ログ２００９として携帯機器１０５内のＲＡＭ１５０７に記憶される。また、上記携帯機機器１０５内のＲＡＭ１５０７に記憶された情報と全く同一の情報が、ＭＦＰシステムＡ１０１のＭＦＰ１１１内のＨＤＤ３０４にも記憶される。
【００９７】
ステップＳ１９１２でＭＦＰシステムＡ１０１がユーザの携帯機器１０５にパスワードを含む一連の情報を転送した後に、ユーザは確認のためにパスワードを受信したことをＭＦＰシステムＡ１０１を操作することによりＭＦＰ１１１に通知する（ステップＳ１９１３）。そして、この通知を受けたＭＦＰ１１１は、全ての手続きが完了したことをモニタ１１２に表示して、全ての動作を終了する（ステップＳ１９１４）。
【００９８】
［プルプリント動作手順］
図２１は、図１９のシーケンス図に示す動作で取得したパスワードを使用して、ユーザが当該動作を行ったＭＦＰとは異なるＭＦＰから電子データをプルプリントする場合の動作手順を説明するためのフローチャートである。すなわち、ユーザが、上記動作を行ったＭＦＰシステムＡ１０１とは異なるコンビニエンスストアに設置されたＭＦＰシステムＢ１０１を利用して、地紋埋め込み原稿画像のオリジナル原稿電子データをプルプリントする。尚、図２１に示す処理を実現する制御プログラムは、上述したようにＲＯＭ３０３に格納されており、ＣＰＵ３０１により実行される。
【００９９】
図２１に示すように、まず、ＭＦＰシステムＢ１０１からプルプリント要求を開始する（ステップＳ２１０１）。次いで、ＭＦＰ１１１は、要求されたデータが課金範囲内であるか否かを判定する（ステップＳ２１０２）。このとき、課金範囲内であるか否かは、実際に印刷動作を行った枚数と予め取得してあるユーザの携帯機器１０５のＲＡＭ１０５７内の課金枚数２００７によって判断する。
【０１００】
ステップＳ２１０２で課金範囲内であると判断された場合（Ｙｅｓ）は、電子データによるプルプリント動作を行う（ステップＳ２１０３）。そして、印刷枚数を終了したか否かを判断する（ステップＳ２１０４）。その結果、終了していないと判断された場合（Ｎｏ）はステップＳ２１０２へ戻って上記処理を繰り返す。
【０１０１】
一方、ステップＳ２１０２で課金範囲外であると判断された場合（Ｎｏ）は、ＭＦＰシステムＡ１０１でスキャンされた画像を用いたプルプリント動作を行い（ステップＳ２１０５）、その後ステップＳ２００４へ進む。また、ステップＳ２００４の判定において、全ての印刷処理が終了したと判断された場合（Ｙｅｓ）には本処理を終了する。
【０１０２】
［課金範囲内プルプリント動作］
図２２は、図２１のステップＳ２１０２において課金範囲内と判定された場合にＭＦＰシステムＢ１０１が地紋埋め込み原稿画像のオリジナル電子データを自動的に取得する動作を説明するためのシーケンス図である。なお、Ｓ２２０１〜Ｓ２２１７は各ステップを表す。また、図２２に示す処理を実現する制御プログラムは、上述したようにＲＯＭ３０３に格納されており、ＣＰＵ３０１により実行される。
【０１０３】
図２２に示すように、まずユーザは、ＭＦＰシステムＢ１０１を用いてプルプリント印刷指定を行う（ステップＳ２２０１）。次に、ＭＦＰシステムＢ１０１は、ユーザに対して携帯機器１０５の接続を要求する指示をモニタ１１２に表示し、ＭＦＰ１１１に接続することを促す（ステップＳ２２０２）。
【０１０４】
次に、ユーザは、上述したように、パスワード情報等を予めＭＦＰシステムＡ及びオリジナル原稿保持サーバ１０２から受信しておき、その情報を内部ＲＡＭ１０５７に記憶している携帯機器１０５をＭＦＰ１１１に接続する。この時、ユーザは、携帯機器１０５を上述したようにＩｒＤＡやＢｌｕｅｔｏｏｔｈ経由で接続可能な準備をした上で、携帯機器１０５の接続完了の通知をＭＦＰ１１１に通知する（Ｓ２２０３）。
【０１０５】
携帯機器１０５が接続されたＭＦＰ１１１は、次に携帯機器１０５の内部ＲＡＭ１０５７に記憶されているプルプリント動作の対象となっている電子データの名称２００１を検索し、名称を判定する。そして、その名称下に書き込まれたスキャン原稿を保持しているＵＲＬ情報２００４を読み出し、コンビニエンスストア内等のＬＡＮ１１３を介して、スキャン原稿を保持しているＭＦＰシステムＡへ名称の問い合わせを行う（ステップＳ２２０４）。
【０１０６】
ＭＦＰシステムＢから問い合わせを受けたＭＦＰシステムＡは、情報を照合し、合致していればＭＦＰシステムＢ１０１へ照合結果及び照合した内容であるＭＦＰシステムＡ１０１のＨＤＤに保持された電子データ情報を送信する（ステップＳ２２０５）。次に、ＭＦＰシステムＢ１０１は、ＭＦＰシステムＡ１０１から受信した情報を、ＭＦＰシステムＢ１０１のモニタ１１２へ出力してユーザに操作の継続を促す（ステップＳ２２０６）。
【０１０７】
次に、ユーザは、ＭＦＰシステムＢ１０１のモニタ１１２上に表示された情報に基づいて、電子データの配信を要求する（ステップＳ２２０７）。電子データの配信を要求されたＭＦＰシステムＢ１０１は、電子データの名称２００１以下に書き込まれたオリジナル原稿ＵＲＬ２００３を参照して、オリジナル原稿保持サーバ１０２へ電子データの配信を要求する（ステップＳ２２０８）。
【０１０８】
電子データの配信を要求されたオリジナル原稿保持サーバ１０２は、ＭＦＰシステムＢ１０１に対して、要求された情報に対する識別ＩＤ２００６を要求する（ステップＳ２２０９）。オリジナル原稿サーバ１０２から識別ＩＤ２００６を要求されたＭＦＰシステムＢ１０１は、電子データの名称２００１以下に書き込まれた識別ＩＤ２００６をオリジナル原稿保持サーバ１０２へ送信する（ステップＳ２２１０）。
【０１０９】
識別ＩＤ２００６を受信したオリジナル原稿保持サーバ１０２は、オリジナル原稿保持サーバ１０２の内部に記憶されている、前に発行されたＩＤの履歴を確認して、そのＩＤに対応するパスワードを確認し、その上でＭＦＰシステムＢに対してパスワードの要求を行う（ステップＳ２２１１）。オリジナル原稿保持サーバ１０２からパスワードを要求されたＭＦＰシステムＢ１０１は、ユーザに対してパスワードを入力するように促す（Ｓ２２１２）。
【０１１０】
次に、ユーザは、携帯機器１０５を使用してパスワードを入力する（ステップＳ２２１３）。そして、ＭＦＰシステムＢ１０１は、入力されたパスワード情報２００８をオリジナル原稿保持サーバ１０２へ送信する（ステップＳ２２１４）。ＭＦＰシステムＢ１０１からパスワード２００８を受信したオリジナル原稿保持サーバ１０２は、前述したように識別ＩＤ２００６に対応したオリジナル原稿保持サーバ１０２の内部に記憶されていたパスワードと照合する。
【０１１１】
その結果、パスワードが一致した場合は、ＭＦＰシステムＢ１０１に対してオリジナル原稿電子データを送信する（ステップＳ２２１５）。そして、電子データをオリジナル原稿保持サーバ１０２から受信し終わったＭＦＰシステムＢ１０１は、モニタ１１２に電子データが受信されたことを通知し（ステップＳ２２１６）、動作を終了する（ステップＳ２２１７）。
【０１１２】
［課金範囲外プルプリント動作］
図２３は、図２１の動作で課金範囲外と判定された場合にＭＦＰが図１９のシーケンス図で説明される動作で取得したＭＦＰ内のＨＤＤ３０４に記憶されているスキャン画像を自動的に取得する動作を説明するためのシーケンス図である。尚、図２３に示す処理を実現する制御プログラムは、上述したようにＲＯＭ３０３に格納されており、ＣＰＵ３０１により実行される。
【０１１３】
図２３において、ステップＳ２３０１〜ステップＳ２３０６の動作については、図２２のステップＳ２２０１〜ステップＳ２２０６の動作と同じため、その説明を省略する。次に、ユーザは、ＭＦＰシステムＢ１０１のモニタ１１２上に表示された情報に基づいて、スキャン画像データの配信を要求する（ステップＳ２３０７）。スキャン画像データの配信を要求されたＭＦＰシステムＢ１０１は、電子データ名称２００１以下に書き込まれたスキャン原稿ＵＲＬ２００４を参照し、ＭＦＰシステムＡ１０１へスキャン画像データの配信を要求する（ステップＳ２３０８）。
【０１１４】
スキャン画像データの配信を要求されたＭＦＰシステムＡ１０１は、ＭＦＰシステムＢ１０１に対して要求された情報に対する識別ＩＤ２００６を要求する（ステップＳ２３０９）。ＭＦＰシステムＡ１０１から識別ＩＤ２００６を要求されたＭＦＰシステムＢ１０１は、電子データ名称２００１以下に書き込まれた識別ＩＤ２００６をＭＦＰシステムＡ１０１へ送信する（ステップＳ２３１０）。
【０１１５】
識別ＩＤ２００６を受信したＭＦＰシステムＡ１０１は、ＭＦＰシステムＡ１０１の内部に記憶されている識別ＩＤ２００６と照合して、識別ＩＤが一致した場合、ＭＦＰシステムＢ１０１に対してスキャン画像データを送信する（ステップＳ２３１１）。スキャン画像データをＭＦＰシステムＡ１０１から受信し終わったＭＦＰシステムＢ１０１は、モニタ１１２にスキャン画像データが受信されたことを通知し（ステップＳ２３１２）、ユーザは本動作を終了する指示をＭＦＰシステムＢ１０１に通知する（Ｓ２３１３）。
【０１１６】
以上説明したように、第３の実施形態によれば、無断に複製ができないように地紋等が埋め込まれている原稿画像をスキャンしてＭＦＰのＨＤＤに保存するし、他のＭＦＰによってプルプリント動作を行う場合、原稿画像に対して課金することによって複製許可が与えられた場合に、印刷枚数に応じて課金情報を割当て、課金範囲内の場合には原稿画像のオリジナルデータを検索し、原稿画像の代わりに電子データによるプルプリントを行うことができる。また、課金範囲外の場合には、原稿画像をスキャンしたＭＦＰを検索し、スキャン原稿自体をプルプリントすることが可能となる。これによって、課金範囲内外で画像品位を区別して画像品位の高い原稿を得つつ、無断印刷行為を防止する効果が可能となる。
【０１１７】
＜他の実施形態＞
以上、各実施形態では、入力データをＲＧＢデータ、出力ＣＭＹＫデータとしたが、Ｌ＊ａ＊ｂ＊、ＸＹＺといったあらゆる色空間表現においても運用可能である。さらに、上記実施形態において、ユーザからの操作をユーザが所有する携帯機器端末としたが、システムに付随するパネル上や、ホストコンピュータに表示される操作メニューといったあらゆる操作手法においても運用可能である。
【０１１８】
また、上記実施形態において、電子データの情報群を携帯機器端末内のＲＡＭ及びＭＦＰ内のＨＤＤとしたが、ＬＡＮによって構築されているシステム上の管理サーバ上に保持することにおいても運用可能である。また、課金処理に関しても上述したような携帯機器を用いるものに限らず、コインベンダーを用いた現金の投入、現金相当のカード等の使用、後で入金するようなシステム等、種々のものを適用可能である。
【０１１９】
さらに、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【０１２０】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１２１】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１２２】
その場合、プログラムの機能を有していれば、オブジェクトコード、インタプリタにより実行されるプログラム、ＯＳに供給するスクリプトデータ等の形態であっても良い。
【０１２３】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１２４】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１２５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１２６】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【０１２７】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１２８】
【図１】本発明の第１の実施形態に係る画像処理システム（ＭＦＰシステム）の概要構成を示す図である。
【図２】図１に示すコンビニＭＦＰシステム１０１におけるＭＦＰ１１１の具体的な実現例であるデジタル複写機の構成の一例を示す外観図である。
【図３】第１の実施形態に係るＭＦＰ１１１のハードウェア構成を示すブロック図である。
【図４】図３に示すＭＦＰ１１１におけるスキャナ画像処理部３１２の細部構成例を示すブロック図である。
【図５】図３に示すＭＦＰ１１１におけるプリンタ画像処理部３１３の細部構成例を示すブロック図である。
【図６】図３におけるＭＦＰ１１１における画像回転処理部３１４の細部構成例を示すブロック図である。
【図７】図３におけるＭＦＰ１１１における画像圧縮処理部３１５の細部構成例を示すブロック図である。
【図８】ユーザがコンビニエンスストア等に設置されているＭＦＰシステム１０１のＭＦＰ１１１を使用して原稿をスキャンしてオリジナル電子データを取得するまでの動作の概略を説明するためのシーケンス図である。
【図９】第１の実施形態に係るＭＦＰ１１１で使用される地紋原稿の一例を示す図である。
【図１０】第１実施形態に係るＭＦＰ１１１で地紋原稿をそのまま印刷した場合の出力例を示す図である。
【図１１】第１の実施形態に係るＭＦＰ１１１に装着等される携帯機器１０５の細部構成例を示すブロック図である。
【図１２】図８のシーケンス図に示す動作で取得した地紋原稿のオリジナル電子データに対してＭＦＰ１１１で保有している地紋を付加する動作の概略を説明するためのフローチャートである。
【図１３】第１の実施形態に係るＭＦＰ１１１のプリンタ画像処理部３１３内にある地紋画像生成部３１３４の内部処理例を説明するためのブロック図である。
【図１４】図１３に示す潜像背景領域指定画像４００６及びカモフラージュ領域指定画像４００７の一例を示す図である。
【図１５】図１２に示すフローチャートの処理動作によって生成された地紋画像の一部を示す図である。
【図１６】本発明の第２実施形態におけるＭＦＰ１１１による無断複製禁止の原稿画像に対して課金範囲の印刷動作と課金範囲外の印刷動作手順を説明するためのフローチャートである。
【図１７】図１６に示すフローチャートの処理によって課金範囲内のオリジナル電子データを印刷した結果を示す図である。
【図１８】図１６に示すフローチャートの処理によって課金範囲外の地紋埋め込み原稿画像を印刷した結果を示す図である。
【図１９】第３の実施形態における画像処理システムにおいてユーザが電子データを取得するためのパスワードを得るまでの動作手順を説明するためのシーケンス図である。
【図２０】第３の実施形態に係る携帯機器１０５内部のＲＡＭ１０５７に転送される情報の概略内容を示す図である。
【図２１】図１９のシーケンス図に示す動作で取得したパスワードを使用して、ユーザが当該動作を行ったＭＦＰとは異なるＭＦＰから電子データをプルプリントする場合の動作手順を説明するためのフローチャートである。
【図２２】図２１のステップＳ２１０２において課金範囲内と判定された場合にＭＦＰシステムＢ１０１が地紋埋め込み原稿画像のオリジナル電子データを自動的に取得する動作を説明するためのシーケンス図である。
【図２３】図２１の動作で課金範囲外と判定された場合にＭＦＰが図１９のシーケンス図で説明される動作で取得したＭＦＰ内のＨＤＤ３０４に記憶されているスキャン画像を自動的に取得する動作を説明するためのシーケンス図である。
【符号の説明】
【０１２９】
１０１  コンビニＭＦＰシステム
１０２  オリジナル原稿保持サーバ
１０３  携帯機器会社のサービスサーバ
１０４  インターネット網
１０５  携帯機器
１１１  デジタル複合機（ＭＦＰ）
１１２  モニタ
１１３  ＬＡＮ
２００  コントローラ
２０１  イメージリーダ部（スキャナ）
２０２  プリンタエンジン部（プリンタエンジン）
２０３  操作部
３０１  ＣＰＵ
３０２、３１４３、３１５４  ＲＡＭ
３０３  ＲＯＭ
３０４  ＨＤＤ
３０５  Ｉｍａｇｅ  Ｂｕｓ  Ｉ／Ｆ
３０６  操作部Ｉ／Ｆ
３０７  システムバス
３０８  ネットワークＩ／Ｆ
３０９  画像バス
３１０  ＲＩＰ
３１１  デバイスＩ／Ｆ
３１２  スキャナ画像処理部
３１３  プリンタ画像処理部
３１４  画像回転処理部
３１５  画像圧縮処理部
３１６  ＮＶＲＡＭ
３１２１、３１３１、３１４１、３１５１  画像バスＩ／Ｆコントローラ
３１２２  フィルタ処理部
３１２３  特定情報処理部
３１２４  入力色補正処理部
３１２５  編集部
３１２６  変倍処理部
３１３２  解像度変換処理部
３１３３  出力色補正処理部
３１３４  地紋画像生成部
３１３５  合成部
３１３６  濃度補正処理部
３１３７  中間調処理部
３１４２  画像回転部
３１５２  入力バッファ
３１５３  画像圧縮部
３１５５  出力バッファ
４００１  入力背景画像
４００２  色情報
４００３  処理領域情報
４００４  潜像閾値パターン
４００５  背景閾値パターン
４００６  潜像背景領域指定画像
４００７  カモフラージュ領域指定画像
４００８  地紋画像 
【図１】
2006166139.tif 000004
【図２】
2006166139.tif 000005
【図３】
2006166139.tif 000006
【図４】
2006166139.tif 000007
【図５】
2006166139.tif 000008
【図６】
2006166139.tif 000009
【図７】
2006166139.tif 000010
【図８】
2006166139.tif 000011
【図９】
2006166139.tif 000012
【図１０】
2006166139.tif 000013
【図１１】
2006166139.tif 000014
【図１２】
2006166139.tif 000015
【図１３】
2006166139.tif 000016
【図１４】
2006166139.tif 000017
【図１５】
2006166139.tif 000018
【図１６】
2006166139.tif 000019
【図１７】
2006166139.tif 000020
【図１８】
2006166139.tif 000021
【図１９】
2006166139.tif 000022
【図２０】
2006166139.tif 000023
【図２１】
2006166139.tif 000024
【図２２】
2006166139.tif 000025
【図２３】
2006166139.tif 000026